(57)【要約】【課題】品質信頼性の向上を図る。【解決手段】払出制御装置１１が遊技制御装置７から賞払出数信号Ｃまたは貸出制御装置９から貸払出数信号Ｄを受信することで、払出制御装置１１が払出駆動源３１を駆動し、払出体３０が矢印方向に回転して賞球たる球を媒体払出通路２９から皿１４に払い出し、払出駆動源３１の駆動と並行し、払出検出器３２が払出計数信号Ｅを出力する。賞払出数信号Ｃの場合、払出制御装置１１がゲート信号Ｆを弁別手段４に出力し、弁別手段４が払出検出器３２と遊技制御装置７とを接続し、払出検出器３２が払出計数信号Ｅが遊技制御装置７と払出制御装置１１とに出力し、監視手段５が払出計数信号Ｅと遊技制御装置７における賞払出数信号Ｃとによる演算の結果で払出機構１０の払出動作を監視する。貸払出数信号Ｄの場合、ゲート信号Ｆは出力されず、弁別手段４による払出検出器３２と遊技制御装置７との接続は解除されている。【選択図】　　　　図１
2004136079.tif 000002
【特許請求の範囲】
【請求項１】
遊技結果の賞品として遊技媒体の払い出しを遊技者に提供する遊技機と、遊技に使用する遊技媒体の貸し出しを遊技者に提供する貸出操作機とが、遊技者に遊技媒体を払い出す払出装置を共用し、払出装置の払出動作を制御する払出制御装置が遊技機の遊技を制御する遊技制御装置からの賞払出数信号または貸出操作機の貸出操作を制御する貸出制御装置からの貸払出数信号で払出装置の払出動作を実行する払出機構を駆動し、払出機構から払い出される遊技媒体を検出する払出検出器が払出計数信号を払出制御装置に出力し、払出制御装置が払出計数信号と賞払出数信号または貸払出数信号とによる演算の結果で上記払出機構の駆動を停止する遊技設備において、賞払出数信号で払出計数信号を遊技制御装置に出力するとともに貸払出数信号で当該払出計数信号の遊技制御装置への出力を停止する弁別手段を備える一方、遊技制御装置に弁別手段からの払出計数信号と遊技制御装置自身で生成した賞払出数信号とによる演算の結果で払出装置の払出動作を監視する監視手段を設けたことを特徴とする遊技設備。
【請求項２】
弁別手段を払出制御装置に設けたことを特徴とする請求項１記載の遊技設備。
【請求項３】
弁別手段を遊技制御装置に設けたことを特徴とする請求項１記載の遊技設備。
【請求項４】
弁別手段が賞払出数信号で払出計数信号を遊技制御装置に出力するとともに貸払出数信号で当該払出計数信号の遊技制御装置への出力を停止する一方、貸払出数信号で払出計数信号を貸出制御装置に出力するとともに賞払出数信号で当該払出計数信号の貸出制御装置への出力を停止する構成であり、貸出制御装置に弁別手段からの払出計数信号と貸出制御装置自身で生成した貸払出数信号とによる演算の結果で払出装置の払出動作を監視する監視手段を設けたことを特徴とする請求項１記載の遊技設備。
【請求項５】
遊技結果の賞品として遊技媒体の払い出しを遊技者に提供する遊技機と、遊技に使用する遊技媒体の貸し出しを遊技者に提供する貸出操作機とが、遊技者に遊技媒体を払い出す払出装置を共用し、払出装置の払出動作を制御する払出制御装置が遊技機の遊技を制御する遊技制御装置からの賞払出数信号または貸出操作機の貸出操作を制御する貸出制御装置からの貸払出数信号で払出装置の払出動作を実行する払出機構を駆動し、払出機構から払い出される遊技媒体を検出する払出検出器が払出計数信号を払出制御装置に出力し、払出制御装置が払出計数信号と賞払出数信号または貸払出数信号とによる演算の結果で上記払出機構の駆動を停止する遊技設備において、払出検出器から出力される払出計数信号を賞払出数信号と貸払出数信号とにより弁別する弁別手段と、遊技制御装置から払出制御装置に出力される賞払出数信号を取り出す出力部とを備えたことを特徴とする遊技設備。
【発明の詳細な説明】
【０００１】
【発明の属する技術分野】
本発明は、賞品としての遊技媒体の払い出しと、遊技に使用する遊技媒体の貸し出しとに、払出装置を共用する、遊技設備に関する。
【０００２】
【従来の技術】
図７は従来の遊技設備を示す。入賞検出器２１が入賞部品１９に入賞した球を検出して入賞信号を遊技制御装置１０１に出力し、遊技制御装置１０１が払出制御装置１０２に賞払出数信号を出力する。また、球貸検出器２６が遊技者による球貸釦２５の操作で操作信号をカードユニット１０３に出力し、カードユニット１０３が払出制御装置１０２に貸払出数信号を出力する。払出制御装置１０２は賞払出数信号または貸払出数信号で払出駆動源３１を駆動し、払出体３０が矢印方向に回転して賞球を払い出し、払出検出器３２が払出計数信号を払出制御装置１０２に出力し、払出制御装置１０２が払出計数信号と賞払出数信号または貸払出数信号とによる演算の結果で上記払出駆動源３１の駆動を停止している（例えば、特許文献１参照）。
【０００３】
【特許文献１】
特開平１０−１５１８７号公報（第７頁、段落番号００３６、図１、図３）
【０００４】
【発明が解決しようとする課題】
しかしながら、前記従来例は、遊技の結果である賞球の払い出しと遊技に使用する球の貸し出しとに払出装置を共用し、払出検出器３２が払出信号を払出制御装置１０２にだけ出力する構造である。このため、遊技制御装置１０１と払出制御装置１０２とを接続する被覆電線にノイズが侵入し、賞払出数信号が遊技制御装置１０１から払出制御装置１０２に到達するまでの間において、遊技制御装置１０１が例えば１０個の賞球払出数の含まれた賞払出数信号を払出制御装置１０２に出力しても、払出制御装置１０２が例えば１２個の賞球払出数の含まれた賞払出数信号として受け取るというように、払出制御装置１０２が遊技制御装置１０１から出力された賞払出数信号に含まれる賞球払出数の異なる値を受信することがある。このような場合でも、遊技制御装置１０１が払出装置から払い出された賞球の個数を管理することができないという問題点がある。また、公的機関が遊技設備の動作が正常かどうかを検査する場合、公的機関が払出検出器３２から出力される払出信号を検査しても、当該払出信号が遊技制御装置１０１からの賞払出数信号に対応したものかまたはカードユニット１０３からの貸払出数信号に対応したものかを容易に認識することができず、当該検査作業に多大な労力と時間を要するという問題点がある。
【０００５】
そこで、本発明は、遊技機と貸出操作機とで共用される払出装置の払出検出器から出力される払出計数信号を賞払出と貸払出とに分けることで、遊技設備の品質信頼性の向上または公的機関による検査のし易さを図ることができる遊技設備を提供するものである。
【０００６】
【課題を解決するための手段】
１つの発明にあっては、遊技結果の賞品として遊技媒体の払い出しを遊技者に提供する遊技機と、遊技に使用する遊技媒体の貸し出しを遊技者に提供する貸出操作機とが、遊技者に遊技媒体を払い出す払出装置を共用し、払出装置の払出動作を制御する払出制御装置が遊技機の遊技を制御する遊技制御装置からの賞払出数信号または貸出操作機の貸出操作を制御する貸出制御装置からの貸払出数信号で払出装置の払出動作を実行する払出機構を駆動し、払出機構から払い出される遊技媒体を検出する払出検出器が払出計数信号を払出制御装置に出力し、払出制御装置が払出計数信号と賞払出数信号または貸払出数信号とによる演算の結果で上記払出機構の駆動を停止する遊技設備において、賞払出数信号で払出計数信号を遊技制御装置に出力するとともに貸払出数信号で当該払出計数信号の遊技制御装置への出力を停止する弁別手段を備える一方、遊技制御装置に弁別手段からの払出計数信号と遊技制御装置自身で生成した賞払出数信号とによる演算の結果で払出装置の払出動作を監視する監視手段を設けたことによって、例えば、ノイズが賞払出数信号を出力する遊技制御装置と払出制御装置とを接続する被覆電線に入力し、遊技制御装置から払出制御装置に出力される賞払出数信号に含まれる賞払出数が正常な値から異常な値になった場合でも、払出計数信号と賞払出数信号とによる演算を開始してから所定時間経過した時点において、監視手段が払出計数値と賞払出数とに齟齬が存在するか否かを適切に判断し、品質信頼性を向上することができる。また、上記１つの発明にあっては、弁別手段を払出制御装置に設ければ、払出検出器と払出制御装置とを接続する被覆電線が分岐されることがなく払出制御装置の制御基盤の図外のコネクタに結線され、このコネクタを分別手段と払出演算手段を含む制御基盤に実装された払出制御装置のマイクロコンピュータの入力ポートとに接続する配線が当該制御基盤の回路基板に敷設された回路パターンを形成する導体で形成することができ、払出検出器を払出制御装置と弁別手段とに配線する被覆電線の本数を減少することができる。また、上記１つの発明にあっては、弁別手段を遊技制御装置に設ければ、ゲート信号を弁別手段に出力するために、払出制御装置と遊技制御装置とを接続する被覆電線の本数は多くなるものの、弁別手段から監視手段への払出計数信号を遊技制御装置のマイクロコンピュータの入力ポートに供給する配線が当該制御基盤の回路基板に敷設された回路パターンを形成する導体で形成することができる。また、上記１つの発明にあっては、弁別手段が賞払出数信号で払出計数信号を遊技制御装置に出力するとともに貸払出数信号で当該払出計数信号の遊技制御装置への出力を停止する一方、貸払出数信号で払出計数信号を貸出制御装置に出力するとともに賞払出数信号で当該払出計数信号の貸出制御装置への出力を停止する構成であり、貸出制御装置に弁別手段からの払出計数信号と貸出制御装置自身で生成した貸払出数信号とによる演算の結果で払出装置の払出動作を監視する監視手段を設ければ、払出装置の払出動作を遊技制御装置と払出制御装置との双方で監視し、遊技制御装置の監視手段または払出制御装置の監視手段のどちらが払出計数値と賞払出数との齟齬または払出計数値と貸払出数との齟齬を判断したかによって、遊払出制御装置に出力される賞払出数信号に含まれる賞払出数または貸払出数信号に含まれる貸払出数のどちらかが正常な値から異常な値になったかを、店員が容易に判断することができる。また、もう１つの発明にあっては、遊技結果の賞品として遊技媒体の払い出しを遊技者に提供する遊技機と、遊技に使用する遊技媒体の貸し出しを遊技者に提供する貸出操作機とが、遊技者に遊技媒体を払い出す払出装置を共用し、払出装置の払出動作を制御する払出制御装置が遊技機の遊技を制御する遊技制御装置からの賞払出数信号または貸出操作機の貸出操作を制御する貸出制御装置からの貸払出数信号で払出装置の払出動作を実行する払出機構を駆動し、払出機構から払い出される遊技媒体を検出する払出検出器が払出計数信号を払出制御装置に出力し、払出制御装置が払出計数信号と賞払出数信号または貸払出数信号とによる演算の結果で上記払出機構の駆動を停止する遊技設備において、払出検出器から出力される払出計数信号を賞払出数信号と貸払出数信号とに弁別する弁別手段と、遊技制御装置から払出制御装置に出力される賞払出数信号を取り出す出力部とを備えたことによって、公的機関での検査では、出力部と弁別手段とに検査装置の入力部を接続すれば、検査装置が弁別手段から入力された払出計数信号と遊技制御装置から出力された賞払出数信号とによる演算の結果で払出装置の払出動作を検査することができる。また、出力部と弁別手段とに遊技店の管理装置の入力部を接続することにより、管理装置が弁別手段から入力された払出計数信号と遊技制御装置から出力された賞払出数信号とによる演算の結果で払出装置の払出動作を監視することができる。
【０００７】
【発明の実施の形態】
図１および図２は第１実施形態であって、図１は遊技媒体に球を用いる遊技設備を示し、図２は賞払出数信号Ｃと貸払出数信号Ｄと払出計数信号Ｅとゲート信号Ｆとによる監視処理手順を示す。
【０００８】
図１を参照し、遊技設備について説明する。遊技設備は遊技機１と貸出操作機２と払出装置３と弁別手段４および監視手段５を備え、遊技機１と貸出操作機２とが払出装置３を共用する。遊技機１は、遊技機構６と遊技制御装置７とを備え、遊技結果の賞品として球の払い出しを遊技者に提供するパチンコ機を例示する。貸出操作機２は、貸出操作機構８と貸出制御装置９とを備え、プリペイドカードを用いることで遊技に使用する球の貸し出しを遊技者に提供するカードユニットを例示する。払出装置３は、払出機構１０と払出制御装置１１とを備え、遊技者に球を払い出す球払出装置を例示する。遊技機１がパチンコ機の場合、貸出操作機構８に含まれる球貸釦２５や清算釦２７が遊技機構６に取り付けられ、払出制御装置１１が遊技機構６に取り付けられることがある。貸出制御装置９と遊技制御装置７および払出制御装置１１はそれぞれ別体に形成される。具体的には、貸出制御装置９と遊技制御装置７および払出制御装置１１の別々に形成された制御基盤が別々に形成されたケースの内部に格納される。貸出制御装置９と遊技制御装置７および払出制御装置１１のそれぞれにおける制御基盤には、マイクロコンピュータや入出力インターフェースなどの電気部品が実装される。
【０００９】
遊技設備に電源が供給された状態において、遊技機構６が遊技者からの操作で球を遊技領域に発射し、その球が入賞部品１９に入賞すると、入賞検出器２１が入賞信号Ａを遊技制御装置７に出力し、遊技制御装置７が入賞なる遊技結果の賞品として遊技媒体である賞球の払い出しを要求するための賞払出数信号Ｃを払出制御装置１１に出力し、払出制御装置１１が遊技制御装置７からの賞払出数信号Ｃで払出機構１０を駆動し、払出機構１０が賞球としての球を遊技機１の皿１４に払い出す。また、貸出操作機構８が遊技者からの操作で操作信号を貸出制御装置９に出力すると、貸出制御装置９が遊技に使用する遊技媒体である貸球の貸し出しを要求するための貸払出数信号Ｄを払出制御装置１１に出力し、払出制御装置１１が貸出制御装置９からの貸払出数信号Ｄで払出機構１０を駆動し、払出機構１０が貸球としての球を皿１４に払い出す。
【００１０】
前記賞払出数信号Ｃあるいは貸払出数信号Ｄで払出機構１０の払出駆動源３１が駆動すると、払出検出器３２が払出体３０から払い出される球を検出するごとに払出計数信号Ｅを払出制御装置１１に出力し、弁別手段４が賞払出数信号Ｃで払出計数信号Ｅを遊技制御装置７に出力するとともに貸払出数信号Ｄで当該払出計数信号Ｅの遊技制御装置７への出力を停止する。そして、払出制御装置１１が払出計数信号Ｅと賞払出数信号Ｃまたは貸払出数信号Ｄとによる演算の結果で上記払出機構１０の駆動を停止し、監視手段５が弁別手段４からの払出計数信号Ｅと賞払出数信号Ｃとによる演算の結果で払出装置３の払出動作を監視する。
【００１１】
遊技機構６は、図外の島と呼ばれる遊技機設置設備に取り付けられる遊技機枠の前面に、合成樹脂またはガラスのような透過性パネル１２で閉鎖された開口部１３、開口部１３よりも下方に設けられて球を受ける皿１４、皿１４の右側に設けられたハンドルグリップと呼ばれるような発射操作機構１５を備える。遊技機枠の内部には、遊技盤１６および発射機構１７を備える。遊技盤１６が遊技機枠の内部に格納された形態において、遊技盤１６の前面である意匠盤面と透過性パネル１２との間の空間には、発射機構１７から発射された球の飛び交う遊技領域が、ガイドレール１８で囲まれた内側の領域として形成される。遊技領域には、入賞部品１９、アウト口２０、図外の障害釘や遊技釘と呼ばれる多数本の釘が設けられる。遊技領域から入賞部品１９に入賞した球は入賞検出器２１で検出される。入賞検出器２１は入賞部品１９に入賞した球を検出するごとに入賞信号Ａを遊技制御装置７に出力する。
【００１２】
入賞部品１９として１つを図示したが、パチンコ機には一般入賞部品、始動入賞部品、可変入賞部品などが用いられる。一般入賞部品は、球が入賞した遊技の結果として定数の賞球を遊技者に提供する入賞部品１９である。始動入賞部品は、球が入賞した遊技の結果として定数の賞球を遊技者に提供するとともに、遊技領域に設けられた図柄表示器または可変入賞部品を動かすことを目的とした入賞部品１９である。可変入賞部品は、遊技領域から球を内部に取り込む左右方向または前後方向に開閉する開閉体を備える。可変入賞部品の内部には、Ｖゾーンと呼ばれる特定入賞口、カウントゾーンと呼ばれる普通入賞口を備える。アウト口２０は入賞部品１９に入賞しないアウト球と呼ばれる球を遊技領域から外部に排出する。
【００１３】
遊技制御装置７は、遊技機枠の裏部または遊技盤１６の裏部に取り付けられ、入賞検出手段２２と監視手段５とを備える。遊技制御装置７は、遊技制御装置７に内蔵したマイクロコンピュータのＣＰＵがＲＯＭに格納されたプログラムにしたがいＲＡＭを使用しながら動作することで、遊技を制御する処理を実行し、その実行結果を払出制御装置１１に出力する。入賞検出手段２２および監視手段５は遊技制御装置７のマイクロコンピュータの処理により具現化される。パチンコ機には、入賞検出器２１として、一般入賞部品に入賞した球を検出して一般入賞信号を出力する一般入賞検出器、始動入賞部品に入賞した球を検出して始動入賞信号を出力する始動入賞検出器、特定入賞口に入賞した球を検出して特定入賞信号を出力する特定入賞検出器、普通入賞口に入賞した球を検出して普通入賞信号を出力する普通入賞検出器が存在する。このようなことから、入賞検出手段２２は、一般入賞検出器からの一般入賞信号、始動入賞検出器からの始動入賞信号、特定入賞検出器からの特定入賞信号、普通入賞検出器からの普通入賞信号が遊技制御装置７のマイクロコンピュータに入力された入力ポートの位置の違いで、どの入賞部品１９に対応する入賞検出器２１からの入賞信号Ａであるかを識別し、払い出すべき賞払出数を特定し、特定した賞払出数をＲＡＭのようなメモリに記憶し、特定した賞払出数の含まれた賞払出数信号Ｃを払出制御装置１１に出力する。
【００１４】
パチンコ機では、遊技制御装置７が、主制御装置、中継制御装置、図柄制御装置、表示灯制御装置、音制御装置、払出発射制御装置などに機能分割される場合がある。主制御装置は、主制御装置に内蔵したマイクロコンピュータで、入力処理、エラー処理、抽選処理、図柄制御処理、賞球制御処理、コマンドセット処理などの遊技全般の処理を実行する。よって、遊技制御装置７が上記複数の制御装置に機能分割された場合、遊技制御装置７は主制御装置となる。中継制御装置は、中継制御装置に内蔵したマイクロコンピュータで、図柄制御装置と表示灯制御装置および音制御装置などの遊技演出に関係する制御装置を統括するものである。図柄制御装置は、図柄制御装置に内蔵したマイクロコンピュータで、中継制御装置からの出力に伴い、遊技領域に設けられる図外の図柄表示器を駆動する。表示灯制御装置は、表示灯制御装置に内蔵したマイクロコンピュータで、中継制御装置からの出力に伴い、遊技機枠の前面または遊技領域に設けられる図外の表示灯を駆動する。音制御装置は、音制御装置に内蔵したマイクロコンピュータで、中継制御装置からの出力に伴い、遊技機枠の前面裏側に設けられる図外のスピーカを駆動する。払出発射制御装置は、払出発射制御装置に内蔵したマイクロコンピュータで、主制御装置からの発射許可や賞球許可などの出力信号が入力された状態において、発射操作機構１５からの出力で発射機構１７を駆動し、主制御装置からの賞払出数信号Ｃの入力に伴い、払出機構１０を駆動する。よって、払出制御装置１１が遊技機構６に組み込まれる場合、払出制御装置１１は払出発射制御装置となる。
【００１５】
監視手段５は弁別手段４から入力された払出計数信号Ｅと遊技制御装置７自身で生成した賞払出数信号Ｃとによる演算の結果で払出装置３の払出動作を監視する。具体的には、弁別手段４から入力された払出計数信号Ｅが入力されるごとに、遊技制御装置７のＲＡＭに記憶した賞払出数をカウントダウンし、当該カウントダウンを開始してから所定時間で、ＲＡＭに記憶した賞払出数が「０」に到達したままとなった場合、監視手段５は、当該カウントダウンを行うきっかけとなった賞払出数信号Ｃに伴う払出機構１０の動作が正常であると判断し、異常処理を行わない。カウントダウンを開始してから所定時間で、ＲＡＭに記憶した賞払出数が「０」に到達しない「正の整数値」のまま、または、「０」を越えて「負の整数値」になった場合、監視手段５は、当該カウントダウンを行うきっかけとなった賞払出数信号Ｃに伴う払出機構１０の動作が異常であると判断し、異常処理を行う。上記所定時間は、払出機構１０が遊技制御装置７から払出制御装置１１に出力された賞払出数信号Ｃによって払出動作を開始してから、正常な動作を行う払出機構１０が賞払出数信号Ｃに含まれる賞払出数の球を払い出すまでの、時間である。例えば、１０個の賞球を払い出すための賞払出数信号Ｃが遊技制御装置７から払出制御装置１１に出力された場合、正常な動作を行う払出機構１０で１０個の賞球を払い出すために要する時間が所定時間である。
【００１６】
貸出操作機構８は、遊技機設置設備に遊技機構６の遊技機枠と併設して取り付けられる機構躯体の前面に図外のカード挿入口を備え、機構躯体の内部に情報読取器２４および貸出制御装置９を備える。そして、遊技者が金額情報の書き込まれた図外のプリペイドカードをカード挿入口に挿入すると、機構躯体の内部に設けられた図外の搬送機構がプリペイドカードを機構躯体の内部に搬入し、情報読取器２４が機構躯体の内部に搬入されたプリペイドカードの金額情報を読み取って貸出制御装置９に出力する。情報読取器２４から入力された金額情報が所定金額未満である場合、貸出制御装置９は、プリペイドカードをカード挿入口の方向に搬出するように、搬送機構を駆動する。情報読取器２４から入力された金額情報が所定金額以上である場合、貸出制御装置９はそのまま貸出待機となる。所定金額は球貸釦２５の１回の操作で払い出すべき貸払出数に相当する金額である。例えば、球貸釦２５の１回の操作で５００円分の貸球を払い出すように貸出制御装置９に設定されている場合、当該５００円が所定金額である。
【００１７】
貸出操作機構８は球貸釦２５、球貸検出器２６、清算釦２７、清算検出器２８を備える。しかしながら、遊技機１がパチンコ機の場合、球貸釦２５、球貸検出器２６、清算釦２７、清算検出器２８は遊技機構６の前面、例えば、皿１４に組み込まれる。具体的には、球貸釦２５および清算釦２７は皿１４の前面または上面に設けられ、球貸検出器２６および清算検出器２８は皿１４の内部に設けられる。そして、遊技者が球貸釦２５を１回押すごとに、球貸検出器２６が貸出操作信号Ｂを貸出制御装置９に１回出力する。貸出操作信号Ｂが入力されると、情報読取器２４から入力された金額情報が所定金額以上であって、貸出制御装置９が貸出待機となっている場合、情報読取器２４から入力された金額情報の範囲において、貸出制御装置９は貸出操作信号Ｂの入力された個数に相当する貸払出数を含む貸払出数信号Ｄを払出制御装置１１に出力する。この貸払出数信号Ｄの出力と並行し、貸出制御装置９は情報読取器２４から入力された金額情報から貸払出数に相当する金額を減算し、機構躯体の内部に設けられた図外の情報書替器を駆動する。これによって、情報書替器がプリペイドカードの金額情報を上記減算された金額情報に書き替える。書き替えられた金額情報が「０」である場合、当該書き替え後に、貸出制御装置９は、プリペイドカードをカード挿入口の方向に搬出するように、搬送機構を駆動する。上記書き替えられた金額情報が「０」でない有価状態において、遊技者が清算釦２７を押すと、清算検出器２８が清算操作信号を貸出制御装置９に出力し、貸出制御装置９がプリペイドカードをカード挿入口の方向に搬出するように、搬送機構を駆動する。
【００１８】
払出機構１０は、払出動作を実行するものであって、機構躯体に媒体払出通路２９と払出体３０と払出駆動源３１および払出検出器３２を備える。媒体払出通路２９は、遊技機設置設備の図示を省略した補給装置から供給される球を、自然流下で払出体３０の方向に誘導する。払出体３０は、円板の外周面に複数の凹部を周方向に等分に配置した、スプロケットのような形状になっている。複数の凹部の各々は、１個の球を取り込むように、払出体３０の外周面から回転中心の方向に窪む半円形である。払出体３０の回転中心は、機構躯体に固定された払出駆動源３１たるステップモータのモータ軸に連結される。媒体払出通路２９の上下方向の中間に配置された払出体３０が、媒体払出通路２９を流下する球を凹部で受け止める。よって、ステップモータが停止することで、払出体３０が球を媒体払出通路２９の内部で受け止めた停止状態となる。そして、ステップモータの駆動で、払出体３０が矢印方向に回転すると、払出体３０よりも上方の媒体払出通路２９から球が払出体３０の回転に伴い払出体３０の凹部に収納されて下方に誘導され当該凹部から払出体３０よりも下方の媒体払出通路２９に払い出される。この払い出された球は払出検出器３２で検出される。払出検出器３２は、払出体３０から排出された球を検出するごとに、払出計数信号Ｅを払出制御装置１１に出力する。
【００１９】
払出制御装置１１は、入力情報検出手段３３と払出駆動手段３４および払出演算手段３５を備え、遊技機構６の遊技機枠または払出機構１０の機構躯体に取り付けられる。払出制御装置１１に内蔵したマイクロコンピュータのＣＰＵがＲＯＭに格納されたプログラムにしたがいＲＡＭを使用しながら動作することで、払出装置３の払出動作を制御する処理を実行し、その実行結果として払出機構１０を駆動する。入力情報検出手段３３と払出駆動手段３４および払出演算手段３５は、払出制御装置１１のマイクロコンピュータの処理により具現化される。入力情報検出手段３３は払出制御装置１１からの貸払出数信号Ｄ、遊技制御装置７からの賞払出数信号Ｃが払出制御装置１１のマイクロコンピュータに入力された入力ポートの位置の違いで、貸払出数信号Ｄであるか賞払出数信号Ｃであるかを識別する。
【００２０】
賞払出数信号Ｃを識別した場合は、入力情報検出手段３３における図２のステップ２０１がＹＥＳである。よって、入力情報検出手段３３は、払い出すべき賞払出数を特定し、特定した賞払出数をＲＡＭのようなメモリに記憶し、図２のステップ２０２で貸払出動作中か否かを判断し、貸払出中でない場合、払出開始信号を払出駆動手段３４および払出演算手段３５に出力し、図２のステップ２０３でゲート信号Ｆを弁別手段４に出力する。払出駆動手段３４は、払出開始信号を受信すると、払出駆動源３１を駆動する。この駆動によって、払出体３０が矢印方向に回転を開始して球を媒体払出通路２９から払出検出器３２の方に払い出す。貸払出数信号Ｄを識別した場合は、入力情報検出手段３３における図２のステップ２０１がＮＯでステップ２０６がＹＥＳである。よって、入力情報検出手段３３は、払い出すべき貸払出数を特定し、特定した貸払出数をＲＡＭのようなメモリに記憶し、図２のステップ２０７で賞払出動作中か否かを判断し、賞払出中でない場合、払出開始信号を払出駆動手段３４および払出演算手段３５に出力し、図２のステップ２０８でゲート信号Ｆを出力しない。
【００２１】
払出演算手段３５は、払出検出器３２から入力される払出計数信号Ｅと遊技制御装置７からの賞払出数信号Ｃまたは貸出制御装置９からの貸払出数信号Ｄとによる演算の結果で、上記払出機構１０の駆動を停止する。具体的には、払出計数信号Ｅと賞払出数信号Ｃまたは貸払出数信号Ｄとによる演算には、払出制御装置１１のＲＡＭに記憶された賞払出数または貸払出数を払出計数信号Ｅの入力されるごとに「１」ずつカウントダウンし、そのカウントダウンした値が「０」になった場合に払出機構１０の駆動を停止する減算処理、または、払出計数信号Ｅの入力されるごとに払出計数を「１」ずつカウントアップし、そのカウントアップした値が払出制御装置１１のＲＡＭに記憶された賞払出数または貸払出数と一致した場合に払出機構１０の駆動を停止する加算処理を採用できる。
【００２２】
弁別手段４は、図２のステップ２０３で払出制御装置１１から出力されたゲート信号Ｆの入力で払出計数信号Ｅを遊技制御装置７に出力し、図２のステップ２０８における払出制御装置１１からのゲート信号Ｆの停止で払出計数信号Ｅの遊技制御装置７への出力を停止する。つまり、弁別手段４はゲート回路になっている。弁別手段４から払出計数信号Ｅが遊技制御装置７に入力されると、図２のステップ２０４に示すように監視手段５は弁別手段４からの払出計数信号Ｅと遊技制御装置７自身で生成した賞払出数信号Ｃとによる演算の結果で払出装置３の払出動作を監視する。当該演算には、前述した減算処理以外に上記加算処理を採用し得る。
【００２３】
第１実施形態によれば、遊技機１と貸出操作機２とが払出装置３を共用する遊技設備において、払出制御装置１１が賞払出動作中にわたりゲート信号Ｆを弁別手段４に出力し、それに伴い弁別手段４が払出検出器３２から出力される払出計数信号Ｅを遊技制御装置７に出力し、監視手段５が払出計数信号Ｅと賞払出数信号Ｃとによる演算の結果で払出装置３の払出動作を監視する。よって、ノイズが賞払出数信号Ｃを出力する遊技制御装置７と払出制御装置１１とを接続する被覆電線に入力し、遊技制御装置７から払出制御装置１１に出力される賞払出数信号Ｃに含まれる賞払出数が正常な値から異常な値になった場合、例えば、遊技制御装置７が１０個の賞払出数信号を払出制御装置１１に出力したにもかかわらず、払出制御装置１１が９個または１１個の賞払出数信号を受信したような場合、払出計数信号Ｅと賞払出数信号Ｃとによる演算を開始してから所定時間経過した時点において、監視手段５は払出計数値と賞払出数とに齟齬が存在すると判断して図２のステップ２０４がＮＯであると、図２のステップ２０５において異常処理を行う。つまり、第１実施形態によれば、遊技機１と貸出操作機２とで共用される払出装置３の払出動作を少なくとも遊技機１で監視することによって、品質信頼性を向上することができる。
【００２４】
この異常処理の結果、遊技制御装置７は発射機構１７の発射動作を停止し、異常処理開始以降の賞払出数信号Ｃの払出制御装置１１への出力を停止し、異常報知を行う。この異常報知としては、遊技制御装置７が遊技機構６の遊技機枠の前面または遊技盤１６の前面に設けられた図外の表示灯を点灯または点滅したり、遊技制御装置７が遊技機枠の内部に設けた図外のスピーカを鳴動させて当該スピーカからの音や音声を遊技機枠の前面に設けた図外の放音孔から放出したり、遊技制御装置７が遊技盤１６に設けた電気的に表示形態を変えられる画像を表示画面に表示する図柄表示器に異常を知らせるためのメッセージを表示したり、遊技制御装置７が遊技店の営業を管理するホールコンピュータと呼ばれる管理装置に異常を知らせる信号を出力したりする。
【００２５】
図３は第２実施形態に係る遊技設備を示す。第２実施形態はゲート回路からなる弁別手段４を払出制御装置１１の制御基盤に実装した形態である。よって、第２実施形態によれば、払出検出器３２と払出制御装置１１とを接続する被覆電線が分岐されることがなく払出制御装置１１の制御基盤の図外のコネクタに結線され、このコネクタを弁別手段４と払出演算手段３５を含む制御基盤に実装された払出制御装置１１のマイクロコンピュータの入力ポートとに接続する配線が当該制御基盤の回路基板に敷設された回路パターンを形成する導体で形成することができ、払出検出器３２を払出制御装置１１と弁別手段４とに配線する被覆電線の本数を減少することができる。
【００２６】
図４は第３実施形態に係る遊技設備を示す。第２実施形態はゲート回路からなる弁別手段４を遊技制御装置７の制御基盤に実装した形態である。よって、第３実施形態によれば、ゲート信号Ｆを弁別手段４に出力するために、払出制御装置１１と遊技制御装置７とを接続する被覆電線の本数は多くなるものの、弁別手段４から監視手段５への払出計数信号Ｅを遊技制御装置７のマイクロコンピュータの入力ポートに供給する配線が当該制御基盤の回路基板に敷設された回路パターンを形成する導体で形成することができる。第３実施形態の場合、弁別手段４をゲート回路で形成してもよいが、遊技制御装置７のマイクロコンピュータによる処理でも実現することができる。
【００２７】
図５は第４実施形態に係る遊技設備を示す。第４実施形態は弁別手段４に相当する弁別手段３６が払出計数信号Ｅを遊技制御装置７と貸出制御装置９とに供給し得る形態である。具体的には、入力情報検出手段３３が前記ゲート信号Ｆに代えて賞払出数信号Ｃと貸払出数信号Ｄとを弁別手段３６に出力する。入力情報検出手段３３から賞払出数信号Ｃが弁別手段３６に入力された場合、弁別手段３６は、払出検出器３２からの払出計数信号Ｅを貸出制御装置９に出力せず監視手段５に出力する。入力情報検出手段３３から貸払出数信号Ｄが弁別手段３６に入力された場合、弁別手段３６は、払出検出器３２からの払出計数信号Ｅを監視手段５に出力せず貸出制御装置９に出力する。貸出制御装置９には監視手段５に類似する図外の監視手段を設け、この監視手段が弁別手段４からの払出計数信号Ｅと貸出制御装置９自身で生成した貸払出数信号Ｄとによる演算の結果で払出装置３の払出動作を監視することができる。したがって、払出装置３の払出動作を遊技制御装置７と払出制御装置１１との双方で監視し、監視手段５が払出計数値と賞払出数との齟齬を判断するかまたは上記図外の監視手段が払出計数値と貸払出数との齟齬を判断するかによって、賞払出数信号Ｃに含まれる賞払出数または貸払出数信号Ｄに含まれる貸払出数のどちらかが正常な値から異常な値になったことを、店員が容易に判断できる。
【００２８】
図６は第５実施形態に係る遊技設備を示す。第５実施形態は弁別手段４に相当する弁別手段３７と出力部３８とを備え、弁別手段３７から出力される信号と出力部３８から出力される信号とで公的機関による検査のし易さを提供する形態である。上記弁別手段３７および出力部３８の双方から出力される信号は、遊技設備を設置する遊技店の店営業を管理するホールコンピュータと呼ばれる管理装置に供給されることにより、店営業の管理の一環としても使用し得る。弁別手段３７は、払出検出器３２から出力される払出計数信号Ｅを遊技制御装置７から払出制御装置１１に出力された賞払出数信号Ｃと貸出制御装置９から払出制御装置１１に出力された貸払出数信号Ｄとにより弁別する。
【００２９】
第５実施形態の場合、弁別手段３７は、払出制御装置１１からのゲート信号Ｆの入力で払出計数信号Ｅを弁別手段３７の出力端３９に出力し、払出制御装置１１からのゲート信号Ｆの停止で払出計数信号Ｅの出力端３９への出力を停止する。出力部３８は、遊技制御装置７から払出制御装置１１に出力される賞払出数信号Ｃを取り出す端子である。したがって、公的機関での検査では、出力部３８と弁別手段３７の出力端３９とに検査装置の入力部を接続することにより、検査装置が弁別手段３７から入力された払出計数信号Ｅと遊技制御装置７から出力された賞払出数信号Ｃとによる演算の結果で払出装置３の払出動作を検査することができる。また、出力部３８と出力端３９とに遊技店の管理装置の入力部を接続することにより、管理装置が弁別手段３７から入力された払出計数信号Ｅと遊技制御装置７から出力された賞払出数信号Ｃとによる演算の結果で払出装置３の払出動作を監視することができる。
【００３０】
各実施形態における払出機構１０は、複数の媒体払出通路２９ごとに払出体３０を設け、これらの払出体３０を１つの払出駆動源３１で駆動するか、または、これらの払出体３０を払出体３０ごとに対応する払出駆動源３１で個別に駆動し、複数の払出体３０ごとの駆動で複数の媒体払出通路２９ごとに払い出される球を１つに集合し、その集合して払い出される球を１つの払出検出器３２に検出するか、または、複数の媒体払出通路２９ごとに対応する払出検出器３２に検出する構造であっても同様に適用することができる。また、図１において、媒体払出通路２９を払出体３０の右側にも分岐して設け、払出体３０を矢印逆方向にステップモータで回転することで、上記分岐した通路を払出機構１０から球を遊技機設置設備への球抜き通路として使用してもよい。
【００３１】
各実施形態では遊技機１としてパチンコ機を用いたが、遊技機１はパチンコ機と同じ球を用いるスロットマシン、遊技媒体としてメダルを用いるスロットマシンにも適用できる。スロットマシンの場合、遊技者が遊技機枠の前面の遊技開始操作機構を操作すると、遊技機枠の内部に設けられた回胴図柄表示器が回転を開始し、その後、遊技者が遊技機枠の前面の図柄停止操作機構を操作すると、上記回胴図柄表示器の回転が停止し、その停止した図柄が当たり図柄になると、賞品としての球またはメダルを遊技者に提供する構造である。よって、入賞信号Ａを遊技開始操作信号と読み替えればよい。
【図面の簡単な説明】
【図１】第１実施形態の遊技設備を示す模式図。
【図２】第１実施形態の弁別監視に関するフローチャート。
【図３】第２実施形態の遊技設備を示す模式図。
【図４】第３実施形態の遊技設備を示す模式図。
【図５】第４実施形態の遊技設備を示す模式図。
【図６】第５実施形態の遊技設備を示す模式図。
【図７】従来の遊技設備を示す模式図。
【符号の説明】
１　遊技機、２　貸出操作機、３　払出装置、４　弁別手段、
５　監視手段、６　遊技機構、７　遊技制御装置、８　貸出操作機構、
９　貸出制御装置、１０　払出機構、２１　入賞検出器、３６　弁別手段、
３７　弁別手段、３８　出力部、Ａ　入賞信号、Ｃ　賞払出数信号、
Ｄ　貸払出数信号、Ｅ　払出計数信号、Ｆ　ゲート信号。
【図１】
2004136079.tif 000003
【図２】
2004136079.tif 000004
【図３】
2004136079.tif 000005
【図４】
2004136079.tif 000006
【図５】
2004136079.tif 000007
【図６】
2004136079.tif 000008
【図７】
2004136079.tif 000009